(57)【要約】【課題】ペットの肛門付近に複雑にして装着することなく容易且つ迅速に装着すると共に、ペットの排便を衛生的に処理し得るペットの排便処理具及びその装着方法を提供する。【解決手段】隙間を開閉する開閉具２，２を、体毛を有するペットの肛門付近の左右両サイドに配設するように取付枠１に取付けると共に、ペットの尻尾付近の胴上部に開閉具３を配設して連結部材４，４で連結し、取付枠１の内側には係止部材５を設けて、該係止部材５に排便収納袋を着脱可能に係止させ、袋口がペットの肛門周囲に当接するようにしてなり、前記開閉具２，２と開閉具３の隙間を開閉させることにより該開閉具の隙間にペットの体毛を挟持又は緩和させてペットの肛門付近に着脱自在に装着するようにしたペットの排便処理具、及び排便処理具の装着方法。【選択図】図１
2006034105.tif 000002
【特許請求の範囲】
【請求項１】
排便収納袋を着脱可能に係止させて袋口がペットの肛門周囲に当接するように係止部材を設けた取付枠に、隙間を開閉する開閉具を取付け配設し、該開閉具の隙間を開閉させて開閉具の隙間にペットの体毛を挟持又は緩和するように構成されてなることを特徴とするペットの排便処理具。
【請求項２】
隙間を開閉する開閉具が、体毛を有するペットの肛門付近の左右両サイドと、尻尾付近の胴上部に配設される構成にしてなることを特徴とする請求項１記載のペットの排便処理具。
【請求項３】
ペットの肛門付近に配設される開閉具若しくは開閉具を取付けた取付枠が、フレキシブルな連結部材で連結されてなることを特徴とする請求項１又は請求項２記載のペットの排便処理具。
【請求項４】
隙間を開閉する開閉具が、隙間を開けた状態と、閉じてペットの体毛を挟持した状態で固定される構造にしてなることを特徴とする請求項１乃至請求項３のいずれか１項に記載のペットの排便処理具。
【請求項５】
隙間を開閉する開閉具が、コイルバネ状に巻かれた形状の巻き線であることを特徴とする請求項１乃至請求項４のいずれか１項に記載のペットの排便処理具。
【請求項６】
コイルバネ状に巻かれた巻き線が、ペットの体毛を挟持しやすく変形させて形成されると共に、弾性質の皮膜でコーティングされた巻き線であることを特徴とする請求項５記載のペットの排便処理具。
【請求項７】
ペットの肛門付近に配設される開閉具若しくは開閉具を取付けた取付枠に、排便処理具の装着を表示する表示部材が組み込まれていることを特徴とする請求項１乃至請求項６のいずれか１項に記載のペットの排便処理具。
【請求項８】
排便収納袋を着脱可能に係止させて袋口がペットの肛門周囲に当接するように係止部材を設けた取付枠に、隙間を開閉する開閉具を取付け配設し、該開閉具を開閉させ、開閉具の隙間にペットの体毛を挟持又は緩和させてペットの肛門付近に着脱自在に装着することを特徴とするペットの排便処理具の装着方法。
【発明の詳細な説明】
【技術分野】
【０００１】
本発明は、体毛を有する犬などのペットの肛門付近に着脱自在に装着して、ペットの排便時の糞が直接袋内に回収されるようにしたペットの排便処理具及び排便処理具の装着方法に関するものである。
【背景技術】
【０００２】
近年のペットブームにより犬や猫等のペットを家庭で飼う人が多くなり、排泄される糞（排便）を処理するのにペットの排泄が終了した後に行うやり方が一般的になされており、飼い主は排泄された糞をその都度、袋に回収したりして処理しており、箸やシャベル等で悪臭のある糞を摘んだり、拾い上げたりして回収しなければならない煩わしさがある。
【０００３】
上記回収に要する煩わしさをなくするため、ペットの体に装着して排便時の糞が直接袋内に回収されるようにしたペットの糞処理具や糞処理装置が開示されている。
例えば、特許文献１には、ペットに装着可能な装着具と、該装着具に装着用弾性体を介して接続すると共に、ペットの尻に圧接させる枠体押えと、ペットの尻と枠体押えとの間に介装する袋装着用枠体と、その開口部を袋装着用枠体に装着させ、枠体押えの袋挿通孔を介して枠体押え外方に配置させる処理用袋とからなり、ペットの糞が直接袋内に収容されるように構成されたペット用糞処理装置が開示されており、特許文献２には、犬の腰部ないし臀部に採糞装着具を装着し、犬の肛門に対向させて糞収容袋を袋取付具等を介して前記糞装着具に取脱可能に取付けるようにした犬の採糞処理具及び糞収容袋が開示されている。
【特許文献１】特開平６−６２６９８号公報
【特許文献２】特開平１０−６６４７０号公報
【発明の開示】
【発明が解決しようとする課題】
【０００４】
しかしながら、上記特許文献１に開示されたペット用糞処理装置は、犬等のペットの胴前側に装着する装着具と、尻部分に当てがう枠体押えとに装着用弾性体を引掛け、ペットの尻と枠体押えとの間に袋装着用枠体を介在させて枠体押えの袋挿通孔より外方へ処理用袋を配置して犬へ装着するようにしてあり、特許文献２に開示された犬の採糞処理具および糞収容袋においては、ベルト状の装着具を折り曲げたりして構成した採糞装着具を犬の腰部から臀部にかけ、両方の後脚に引掛けて腰部の背中側で交叉させ、その両方の先端を首輪に着脱可能に係止して犬に装着できるようにし、ベルト状の装着具の臀部側の両側部には、鳩目具やホック等の係止具を一定の間隔で取付け、該係止具に所定の大きさの袋取付具を被係止具を介して取脱可能に取り付けるようにしてあり、ペットへの取付け装着が複雑でペットへの負担が大きく容易且つ迅速に装着できない問題点がある。
【課題を解決するための手段】
【０００５】
本発明は、上記問題点に鑑み、以下に記載するような手段を講じてなるペットの排便処理具及び排便処理具の装着方法を提供しようとするものである。
すなわち、
（１）排便収納袋を着脱可能に係止させて袋口がペットの肛門周囲に当接するように係止部材を設けた取付枠に、隙間を開閉する開閉具を取付け配設し、該開閉具の隙間を開閉させて開閉具の隙間にペットの体毛を挟持又は緩和するように構成されてなることを特徴とするペットの排便処理具。
（２）隙間を開閉する開閉具が、体毛を有するペットの肛門付近の左右両サイドと、尻尾付近の胴上部に配設される構成にしてなることを特徴とする前項（１）記載のペットの排便処理具。
（３）ペットの肛門付近に配設される開閉具若しくは開閉具を取付けた取付枠が、フレキシブルな連結部材で連結されてなることを特徴とする前項（１）又は（２）記載のペットの排便処理具。
（４）隙間を開閉する開閉具が、隙間を開けた状態と、閉じてペットの体毛を挟持した状態で固定される構造にしてなることを特徴とする前項（１）乃至（３）のいずれか１項に記載のペットの排便処理具。
（５）隙間を開閉する開閉具が、コイルバネ状に巻かれた形状の巻き線であることを特徴とする前項（１）乃至（４）のいずれか１項に記載のペットの排便処理具。
（６）コイルバネ状に巻かれた巻き線が、ペットの体毛を挟持しやすく変形させて形成されると共に、弾性質の皮膜でコーティングされた巻き線であることを特徴とする前項（５）記載のペットの排便処理具。
（７）ペットの肛門付近に配設される開閉具若しくは開閉具を取付けた取付枠に、排便処理具の装着を表示する表示部材が組み込まれていることを特徴とする前項（１）乃至（６）のいずれか１項に記載のペットの排便処理具。
（８）排便収納袋を着脱可能に係止させて袋口がペットの肛門周囲に当接するように係止部材を設けた取付枠に、隙間を開閉する開閉具を取付け配設し、該開閉具を開閉させ、開閉具の隙間にペットの体毛を挟持又は緩和させてペットの肛門付近に着脱自在に装着することを特徴とするペットの排便処理具の装着方法。
【発明の効果】
【０００６】
上記手段にて記載するように本発明は、排便収納袋を着脱可能に係止させて袋口がペットの肛門周囲に当接するように係止部材を設けた取付枠に、隙間を開閉する開閉具を取付け配設し、該開閉具の隙間を開閉させて開閉具の隙間にペットの体毛を挟持又は緩和して装着するようにしたものであるから、ペットの肛門付近に任意で着脱自在に装着できて、取付け装着に手間を要せず迅速に装着するのに効果を奏すると共に、衛生的に排便処理が行え、ペットへの負担も小さい。
【０００７】
又、開閉具の隙間を開けた状態と、閉じてペットの体毛を挟持した状態で固定されるようにし、且つ開閉具をコイルバネ状に巻かれた巻き線にしてペットの体毛を挟持しやすく変形させ、弾性質の皮膜でコーティングしたことにより、ペットの体毛が巻き線と巻き線の間の連続して形成された隙間に確実に挟持又は緩和されると共に、体毛を挟持した状態が保持されて脱落を防止するのに有効となる。
【０００８】
更に、ペットの肛門付近に配設される開閉具若しくは開閉具を取付けた取付枠に、排便処理具の装着を表示する表示部材が組み込まれることにより、暗闇時などでの視認に好適となる。
【発明を実施するための最良の形態】
【０００９】
本発明を実施するための最良の形態は、排便収納袋を着脱可能に係止させて袋口がペットの肛門周囲に当接するように係止部材を設けた取付枠に、隙間を開閉する開閉具を取付け配設し、該開閉具の隙間を開閉させて開閉具の隙間にペットの体毛を挟持又は緩和するように構成して、前記開閉具が、体毛を有するペットの肛門付近の左右両サイドと、尻尾付近の胴上部に配設するようにしたものであり、以下その実施例について図面を参照して説明する。
【実施例１】
【００１０】
図１は、本発明に係るペットの排便処理具の実施例１を示すものであり、取付枠１の左右両サイドに開閉具２，２と、取付枠１の上方部に開閉具３が配設され、開閉具３の両端は、取付枠１の左右上端部にフレキシブルな連結部材（紐材）４，４で連結された構成となっており、前記開閉具２，２が体毛を有するペットの肛門付近の左右両サイドに、開閉具３が尻尾付近の胴上部に位置するように配設されて、開閉具２，２と、開閉具３の開閉によりその開閉隙間にペットの体毛を挟持又は緩和するようにして着脱自在に装着するようにしてある。取付枠１の内側には、排便収納袋を着脱可能に係止させて袋口がペットの肛門周囲に当接するようにするための係止部材５が設けてある。
【００１１】
前記取付枠１は、図１に示すようにＬ字状のフレーム１ａ，１ｂがピン１ｃで軸支されてコ字状に形成され、図２に示すようにピン１ｃを枢軸にしてペットの装着部の傾斜に合わせて屈曲できるようにしてあり、取付枠１の左右外側部に爪ラックガイドバー６，６が取付けられ、該爪ラックガイドバーにガイドされて開閉具２，２が移動可能にして取付け配設されている。
【００１２】
前記開閉具２，２は、図２に示すようにコイルバネ状に巻かれた巻き線にしてあり、巻き線の上端部と下端部にガイドカバー７，８を設けて、該ガイドカバーに設けられたガイド穴に爪ラックガイドバー６を嵌合挿通させて移動可能にしてあり、ガイドカバー８を止めボルト９により爪ラックガイドバー６に止めてガイドカバー７を引張ったり、押付けたりすることにより巻き線を伸縮させ、巻き線と巻き線の間の連続して形成された隙間Ｓを開閉するようにしてある。巻き線が、密着させてコイル状に巻かれたものであれば、引張った時に隙間Ｓが開いた状態となり、引張りを解除すると復元力により自然に閉じた状態となる。
【００１３】
そして、ガイドカバー７を引張って該ガイドカバーに付設されたストッパー７ａの爪先を爪ラックガイドバー６の爪ラック６ａに係止させることで巻き線と巻き線の間の隙間Ｓは開いた状態で固定され、ガイドカバー７を押付けてストッパー７ａの爪先を爪ラック６ｂに係止させることで巻き線と巻き線の間の隙間Ｓは閉じた状態で固定される。
【００１４】
開閉具３は、図３に示すようにコイルバネ状に巻かれた巻き線にして、その上半部はラックカバー１０により被覆されており、該ラックカバーは、二つのカバーが伸縮自在に嵌合されていて、両端部の連結用のフック１０ｃ，１０ｃを引張ったり、押付けたりすることにより、ラックカバー１０が伸縮すると共に巻き線も伸縮し、巻き線と巻き線の間の連続して形成された隙間Ｓが開閉するようにしてあり、ラックカバー１０に設けられた、ラック１０ａに爪板１０ｂの爪先を係止させることで前記隙間Ｓが開いた状態と閉じた状態で固定されるようにしてある。
なお、開閉具２，３は、爪ラック６ａ，６ｂ、ラック１０ａにストッパー７ａ，爪板１０ｂの爪先を係止させて開いた状態と閉じた状態で固定するようにしたが、これに限定するものではなく、例えばピンの出入により係止して開いた状態と閉じた状態で固定するようにしても良い。
【００１５】
前記開閉具２，３は円形のコイルバネ状に巻かれた巻き線にして、巻き線と巻き線の間の連続して形成された隙間Ｓを開閉させ、該隙間にペットの体毛を挟持又は緩和するようにしたものであるが、隙間を開閉させてペットの体毛を挟持又は緩和するには前記巻き線でなくても可能である。
【００１６】
又、コイルバネ状に巻かれた巻き線は、円形に限定されるものではなく、ペットの体毛を挟持しやすくするため、円形以外の異形に変形させて形成したり、或いは図４に示すように巻き線と巻き線の間の連続して形成される隙間Ｓの挟持部が例えば略垂直になるように曲げたり、図５に示すように巻き線の表面を弾性質の皮膜２ａでコーティングした巻き線にすると良い。
【００１７】
係止部材５は、図１に示すように略Ｌ字状のフレーム５ａ，５ｂがピン５ｃで軸支されて略コ字状に形成され、図２に示すようにピン５ｃを枢軸にしてペットの装着部の傾斜に合わせて屈曲できるようにすると共に、取付枠１の内側に係止部材５の上端部が回動可能に軸支されていて、係止部５ｄ，５ｄに排便収納袋の袋口部を着脱自在に係止させてペットの肛門周囲に袋口が当接するようにしてあり、排便収納袋が着脱可能に係止されて袋口がペットの肛門周囲に当接するように形成された係止部材であれば前記係止部材５に限定されるものではない。
【実施例２】
【００１８】
図６は、本発明に係るペットの排便処理具の実施例２を示すものであり、ペットの肛門付近の左右両サイドに配設される開閉具２Ａ，２Ａと尻尾付近の胴上部に配設される開閉具３がフレキシブルな連結部材（紐材）４，４で連結された構成となっており、開閉具２Ａ，２Ａは取付枠に取付けず、個々に分離された状態でペットの肛門付近の左右両サイドに配設されて装着されるようにしてあり、開閉具２Ａ，２Ａの内側面には、排便収納袋を着脱可能に係止させて袋口がペットの肛門周囲に当接するための係止部材１１が設けてある。
【００１９】
開閉具２Ａ，２Ａは、図７に示すようにコイルバネ状に巻かれた巻き線にして、その上半部はラックカバー１０Ａにより被覆されており、該ラックカバーは、二つのカバーが伸縮自在に嵌合されていて、両端部の連結用のフック１０ｃ，１０ｃを引張ったり、押付けたりすることにより、ラックカバー１０Ａが伸縮すると共に巻き線も伸縮し、巻き線と巻き線の間の連続して形成された隙間Ｓが開閉するようにしてあり、ラックカバー１０Ａに設けられたラック１０ａに爪板１０ｂの爪先を係止させることで前記隙間Ｓが開いた状態で固定されるようにしてある。
なお、開閉具２Ａはラック１０ａに爪板１０ｂの爪先を係止させて開いた状態と閉じた状態で固定するようにしたが、これに限定するものではなく、例えばピンの出入により係止して開いた状態と閉じた状態で固定するようにしても良い。
【００２０】
係止部材１１は、図７の（Ａ）に示すように開閉具２Ａのラックカバー１０Ａの内側面に、一端がピン１１ｃで軸支されたアーム１１Ａに係止爪１１ａ，…を設けて、排便収納袋の袋口縁部を係止させるようにし、別端部に係合凸部１１ｂを設けてキャッチ部材１２に押込み係合させることにより、排便収納袋の袋口縁部が係止爪１１ａ，…とラックカバー１０Ａの内側面とで支持されると共に、袋口がペットの肛門周囲に当接するようにしてある。
【００２１】
或いは前記係止部材１１は、図７の（Ｂ）に示すように逆Ｌ字状の押え板１１Ｂにして係止爪１１ａ，…を設け、上面端部をラックカバー１０Ａの上面で軸１１ｄにより支持し、軸１１ｄに捩りバネ（図示せず）を介在させるなどして、押え板１１Ｂの係止爪１１ａ，…がラックカバー１０Ａの内側面を押付けるようにして排便収納袋の袋口縁部を支持するようにしても良い。いずれにせよ、係止部材１１は、排便収納袋が着脱可能に係止されて、袋口がペットの肛門周囲に当接するようにしたものであれば良く、限定されるべきものではない。
【００２２】
又、開閉具２Ａ，２Ａのラックカバー１０Ａ，１０Ａの上面には、暗闇時などにその装着が視認されやすくするため、表示部材１３，１３が設けてあり、該表示部材は自然発光する発光部材が貼り付けられたり、或いは小型電池等を電源として、スイッチを介して発光ダイオード等を組み込むことにより発光表示するようにしても良い。表示部材１３は、左右両方の開閉具２Ａ，２Ａのラックカバー１０Ａ，１０Ａに設けてあるのが片方だけでも良く、或いは開閉具３のラックカバー１０に設けても良い。
【００２３】
図８は、以上のようにしてなるペットの排便処理具に使用される排便収納袋の例を示すものである。図８の（ａ），（ｂ）に示す排便収納袋１４，１４Ａの袋口縁部１４ａには紐１４ｂが挿通されており、該紐１４ｂは、ペットが排便した後に取り外した時、悪臭が放散しないように袋口を閉じること、及びペットの尻尾に結び付けて袋口がペットの肛門周囲に当接するように排便処理具の係止部材で係止するのに供することができるが、図８の（ｂ）に示す排便収納袋１４Ａのように、弾力性の紐で別途に掛け輪１４ｃを設けても良い。排便収納袋１４，１４Ａの袋の内部は吸湿性の材料を使用するのが望ましく、排便を収納した排便収納袋は、袋口が閉じられた状態で廃物処理されることから、排便収納袋の材質は廃物処理可能な材料で製造されるのが望ましい。
【００２４】
図９は、実施例１にて示したペットの排便処理具を、犬の肛門付近に装着した例を示すものである。肛門付近の左右両サイドに配設された開閉具２，２と、尻尾付近の胴上部に配設された開閉具３により犬の体毛を挟持して装着され、排便収納袋１４は、紐１４ｂを犬の尻尾に結び付けると共に、係止部材５の係止部５ｄにより袋口縁部が係止されて押え付けられ、袋口が犬の肛門周囲に当接した状態となっている。
【産業上の利用可能性】
【００２５】
本発明は体毛を有するものであれば、ペットのみならず、家畜や動物園等で飼育されている動物にも利用の可能性がある。
【図面の簡単な説明】
【００２６】
【図１】本発明に係るペットの排便処理具の実施例１を示す平面図である。
【図２】取付枠に取付けた開閉具の実施例を示す要部斜視図である。
【図３】開閉具の実施例を示す斜視図である。
【図４】開閉具をコイルバネ状に巻かれた巻き線にした例を示す要部断面図である。
【図５】開閉具をコイルバネ状に巻かれた巻き線にして弾性質の皮膜でコーティングした例を示す要部断面図である。
【図６】本発明に係るペットの排便処理具の実施例２を示す平面図である。
【図７】開閉具の実施例を示す斜視図である。
【図８】排便収納袋の例を示す斜視図である。
【図９】実施例１に示した本発明に係るペットの排便処理具を犬の肛門付近に装着した例を示す斜視図である。
【符号の説明】
【００２７】
１  取付枠
１ａ，１ｂ，５ａ，５ｂ  フレーム
１ｃ，５ｃ，１１ｃ，  ピン
２，２Ａ，３  開閉具
２ａ  皮膜
４  連結部材
５，１１  係止部材
５ｄ  係止部
６  爪ラックガイドバー
６ａ，６ｂ  爪ラック
７，８  ガイドカバー
７ａ  ストッパー
９  止めボルト
１０，１０Ａ  ラックカバー
１０ａ  ラック
１０ｂ  爪板
１０ｃ  フック
１１Ａ  アーム
１１ａ  係止爪
１１Ｂ  押え板
１１ｂ  係合凸部
１１ｄ  軸
１２  キャッチ部材
１３  表示部材
１４，１４Ａ  排便収納袋
１４ａ  袋口縁部
１４ｂ  紐
１４ｃ  掛け輪
【図１】
2006034105.tif 000003
【図２】
2006034105.tif 000004
【図３】
2006034105.tif 000005
【図４】
2006034105.tif 000006
【図５】
2006034105.tif 000007
【図６】
2006034105.tif 000008
【図７】
2006034105.tif 000009
【図８】
2006034105.tif 000010
【図９】
2006034105.tif 000011